【手続補正書】
【提出日】平成23年10月4日(2011.10.4)
【手続補正１】
【補正対象書類名】特許請求の範囲
【補正対象項目名】全文
【補正方法】変更
【補正の内容】
【特許請求の範囲】
【請求項１】
回転駆動手段によって回転する光ディスクにレーザ光を照射し、前記光ディスクで反射したレーザ光を検出する光ピックアップ装置であって、
２つ以上の波長のレーザ光を発振するレーザ光源と、
前記レーザ光源から出射したレーザ光を前記光ディスクに集光させる対物レンズと、
前記レーザ光源から前記対物レンズまでの光路中に配置されたビームスプリッタと、
前記光ディスクで反射し、前記対物レンズ及び前記ビームスプリッタを介して伝搬する前記レーザ光を検出する光検知器と、
前記ビームスプリッタから前記光検知器までの光路中に配置され、光軸に垂直な平面内における第１の方向に前記レーザ光を屈折させるレンズ作用を有し、このレンズ作用が可変である第１の光学素子と、
前記第１の光学素子のレンズ作用を変更する第１の光学素子駆動回路と、
前記ビームスプリッタから前記光検知器までの光路中に配置され、光軸に垂直な平面内の少なくとも前記第１の方向とは異なる方向に前記レーザ光を屈折させるレンズ作用を有し、このレンズ作用が可変である第２の光学素子と、
前記第２の光学素子のレンズ作用を変更する第２の光学素子駆動回路と、
を有することを特徴とする光ピックアップ装置。
【請求項２】
前記第２の光学素子は、光軸に垂直な平面内における、前記第１の方向に直交する第２の方向に前記レーザ光を屈折させるレンズ作用を有することを特徴とする請求項１に記載の光ピックアップ装置。
【請求項３】
前記第１の光学素子は、第１の均一電極と、前記第１の方向に配列された複数の第１の分割型電極と、前記第１の均一電極と前記第１の分割型電極との間に備えられた第１の液晶層と、を含む第１の液晶素子であり、
前記第１の光学素子駆動回路は、第１の液晶素子駆動回路であり、
前記第２の光学素子は、第２の均一電極と、前記第２の方向に配列された複数の第２の分割型電極と、前記第２の均一電極と前記第２の分割型電極との間に備えられた第２の液晶層と、を含む第２の液晶素子であり、
前記第２の光学素子駆動回路は、第２の液晶素子駆動回路である
ことを特徴とする請求項２に記載の光ピックアップ装置。
【請求項４】
前記第２の光学素子は、光軸に垂直な平面内における光軸を中心とする円の径方向に前記レーザ光を屈折させるレンズ作用を有することを特徴とする請求項１に記載の光ピックアップ装置。
【請求項５】
前記第１の光学素子は、第１の均一電極と、前記第１の方向に配列された複数の第１の分割型電極と、前記第１の均一電極と前記第１の分割型電極との間に備えられた第１の液晶層と、を含む第１の液晶素子であり、
前記第１の光学素子駆動回路は、第１の液晶素子駆動回路であり、
前記第２の光学素子は、第２の均一電極と、同心円状に配列された複数の第２の分割型電極と、前記第２の均一電極と前記第２の分割型電極との間に備えられた第２の液晶層と、を含む第２の液晶素子であり
前記第２の光学素子駆動回路は、第２の液晶素子駆動回路である
ことを特徴とする請求項４に記載の光ピックアップ装置。
【請求項６】
前記光検知器から出力される検出信号に基づいて前記光ディスクの種類を判別するメディア判別手段をさらに有し、
前記第１の光学素子駆動回路及び前記第２の光学素子駆動回路は、前記メディア判別手段から出力される判別結果信号に基づいて、前記集光されるレーザ光の焦点ずれ量と前記光検知器の検出信号に基づいて算出される焦点誤差信号の振幅との関係が線形になるリニア範囲が、前記光ディスクの種類、あるいは前記光ディスクに積層された信号面の層数、あるいは前記光ディスクに積層された信号面の層の間隔ごとに予め決められた設定値となるように、前記第１の光学素子及び前記第２の光学素子のレンズ作用を変更する
ことを特徴とする請求項１乃至５のいずれか１項に記載の光ピックアップ装置。
【請求項７】
前記光検知器から出力される検出信号に基づいて前記光ディスクの種類を判別するメディア判別手段をさらに有し、
前記第１の光学素子駆動回路及び前記第２の光学素子駆動回路は、前記メディア判別手段から出力される判別結果信号に基づいて、前記集光されるレーザ光の焦点ずれ量と前記光検知器の検出信号に基づいて算出される焦点誤差信号の振幅との関係が線形になるリニア範囲が、前記光ディスクの種類ごとに予め決められた光学的仕様が規定する範囲内になるように、前記第１の光学素子及び前記第２の光学素子のレンズ作用を変更する
ことを特徴とする請求項１乃至５のいずれか１項に記載の光ピックアップ装置。
【請求項８】
前記２つ以上の波長のレーザ光は、
中心波長が０．４０５μｍである第１のレーザ光と、
中心波長が０．６５μｍである第２のレーザ光と、
中心波長が０．７８μｍである第３のレーザ光と
を含むことを特徴とする請求項１乃至７のいずれか１項に記載の光ピックアップ装置。
【請求項９】
請求項１乃至８のいずれか１項に記載の光ピックアップ装置と、
前記光ピックアップ装置によってレーザ光が照射される光ディスクを回転させる回転駆動手段と
を有することを特徴とする光ディスク装置。
【手続補正２】
【補正対象書類名】明細書
【補正対象項目名】００１１
【補正方法】変更
【補正の内容】
【００１１】
本発明に係る光ピックアップ装置は、回転駆動手段によって回転する光ディスクにレーザ光を照射し、前記光ディスクで反射したレーザ光を検出する光ピックアップ装置であって、２つ以上の波長のレーザ光を発振するレーザ光源と、前記レーザ光源から出射したレーザ光を前記光ディスクに集光させる対物レンズと、前記レーザ光源から前記対物レンズまでの光路中に配置されたビームスプリッタと、前記光ディスクで反射し、前記対物レンズ及び前記ビームスプリッタを介して伝搬する前記レーザ光を検出する光検知器と、前記ビームスプリッタから前記光検知器までの光路中に配置され、光軸に垂直な平面内における第１の方向に前記レーザ光を屈折させるレンズ作用を有し、このレンズ作用が可変である第１の光学素子と、前記第１の光学素子のレンズ作用を変更する第１の光学素子駆動回路と、前記ビームスプリッタから前記光検知器までの光路中に配置され、光軸に垂直な平面内の少なくとも前記第１の方向とは異なる方向に前記レーザ光を屈折させるレンズ作用を有し、このレンズ作用が可変である第２の光学素子と、前記第２の光学素子のレンズ作用を変更する第２の光学素子駆動回路とを有するものである。
【手続補正３】
【補正対象書類名】明細書
【補正対象項目名】００２５
【補正方法】変更
【補正の内容】
【００２５】
図４（Ａ）乃至（Ｃ）は、実施の形態１に係る光ピックアップ装置の１つの液晶素子４１又は４２を説明するための図であり、同図（Ａ）は、液晶素子４１又は４２の構成を示す側面図（光ピックアップ装置の光学系の平面図に相当する。）、同図（Ｂ）は、液晶素子４１又は４２の分割型電極５３の電極パターンを示す平面図、同図（Ｃ）は、液晶素子４１又は４２の屈折率分布を示す図である。図４（Ａ）に示されるように、液晶素子４１及び４２のそれぞれは、均一電極５１と、１つの方向に配列された複数の分割型電極５３と、均一電極５１と分割型電極５３との間に備えられた液晶層５２と、均一電極５１の外側に配置されたガラス基板５４と、分割型電極５３の外側に配置されたガラス基板５５とを有している。均一電極５１と分割型電極５３との間には、液晶素子駆動回路４４によってパルス電圧Ｖが印加される。図４（Ｂ）に示されるように、分割型電極５３の電極パターンは、中央から配列方向の外側に向かって次第にストライプ状の各電極部の幅が狭くなるように形成されている。より正確に言えば、分割型電極５３の中心から配列方向の最も外側までの距離（後述する実施の形態２（図１１）においては、円環状の分割型電極の半径）を１に正規化させた場合に、分割型電極５３の中心から、中心の電極部から数えてＭ（Ｍは正の整数）番目の電極部までの距離（後述する実施の形態２においては半径）は、分割数をＮとすると、Ｍ／Ｎの平方根で与えられる。さらに、分割された各電極部の隣接するもの同士は高い抵抗を持つ導体で接続されている。図４（Ｃ）の階段状の実線は、実施の形態１における液晶素子４１及び４２の均一電極５１と分割型電極５３の間に、電圧を印加した場合に生じる階段型の屈折率分布を示しており、円弧状の破線で示すように、屈折率は、分割型電極５３の中心からの距離（後述する実施の形態２においては半径）の２乗に比例して減少する変化を示す。なお、図４（Ｂ）及び（Ｃ）には、分割型電極の好ましいパターン及び好ましい屈折率分布を示したが、分割型電極のパターン及び屈折率分布は、図示の例に限定されず、他のパターン及び屈折率分布とすることもできる。
【手続補正４】
【補正対象書類名】明細書
【補正対象項目名】００３５
【補正方法】変更
【補正の内容】
【００３５】
ステップＳ１３における判断がＮｏの場合には、メディア判別手段６１は第３の光ディスクであるＣＤの条件に初期設定するよう指令する。この指令に基づいて、球面収差補正機構駆動回路６５がレンズ移動機構２３を動作させ、コリメータレンズ２２を第３の光ディスクの基板の厚みに起因する球面収差が極小となる所定の位置に変位させる（ステップＳ１６）。次に、液晶素子駆動回路４４を動作させて、光ピックアップ装置のリニア範囲が第３のリニア範囲となるように、液晶素子４１及び４２にそれぞれ所定の電圧を印加させる（ステップＳ１７）。この状態から、第３の波長のレーザ光Ｌｉを発振させる（ステップＳ１８）。ステップＳ６と同様の処理により、制御信号検出回路６２からの検出された焦点誤差信号（ステップＳ１９）に基づいて、装着された光ディスクが第３の光ディスクであるかどうかの判別を行なわれ（ステップＳ２０）、第３の光ディスクであれば対物レンズ駆動回路６４からの出力信号で対物レンズアクチュエータ２５を駆動させてトラック追従の制御に進む。次に、再生信号検出回路６３からの再生信号が最も良好なものとなるように、球面収差補正機構駆動回路６５がレンズ移動機構２３を動作させ、コリメータレンズ２２をさらに球面収差が極小となる最適な位置に変位させて（ステップＳ２１）、以後、第３の光ディスクにおいて、情報の記録動作若しくは再生動作が行われる（ステップＳ２２）。もしも装着された光ディスクが第３の光ディスクで無いと判断された場合（ステップＳ２０における判断がＮｏの場合）には、光ディスク装置が対応できる互換の範囲以外の光ディスクである可能性があるので、対応不可と判断される（ステップＳ２３）。あるいは、第１乃至第３の光ディスクのいずれかであっても、光ディスクが著しく汚れている場合や、破損等がある場合には、正しく判別されない可能性があり、やはり対応不可と判断される（ステップＳ２３）。
【手続補正５】
【補正対象書類名】明細書
【補正対象項目名】００５５
【補正方法】変更
【補正の内容】
【００５５】
なお、液晶素子４５は液晶素子４２の前側（ビームスプリッタ２１側）に配置されても、後ろ側（光検知器４３側）に配置されてもよい。また、分割型電極の好ましいパターン及び好ましい屈折率分布を説明したが、分割型電極のパターン及び屈折率分布は、上記例に限定されない。さらにまた、実施の形態２において、上記以外の点は、実施の形態１の場合と同じである。